(57)【要約】  内視鏡（１）は、挿入部（２）の先端部（６）に設けられた枠部品（２０）と、枠部品（２０）に嵌合される導電性の外装部材（４１）と、枠部品（２０）に固定され撮像を行う撮像ユニット（３０）と、撮像ユニット（３０）に設けられた導電部（５０）と、導電部（５０）に第１の端部が接続され、第１の端部の反対側の第２の端部の近傍部分を枠部品（２０）の外面と外装部材（４１）の内面の間に挟まれて固定され、導電部と外装部材（４１）とを電気的に接続する導通部と、を有する。【特許請求の範囲】
【請求項１】
挿入部の先端部に設けられた枠部品と、  前記枠部品に嵌合される導電性の外装部材と、  前記枠部品に固定され撮像を行う撮像ユニットと、  前記撮像ユニットに設けられた導電部と、  前記導電部に第１の端部が接続され、前記第１の端部の反対側の第２の端部の近傍部分を前記枠部品の外面と前記外装部材の内面の間に挟まれて固定され、前記導電部と前記外装部材とを電気的に接続する導通部と、  を有することを特徴とする内視鏡。
【請求項２】
前記枠部品は、非導電性であることを特徴とする請求項１に記載の内視鏡。
【請求項３】
前記外装部材は、組立時に、前記枠部品の一部を露出し、余分な前記導通部を切断するための開口を有し、  前記開口内に切断された前記導通部の前記第２の端部が収容されることを特徴とする請求項１に記載の内視鏡。
【請求項４】
前記第２の端部が前記外装部材の外表よりも前記枠部品側に収容されていることを特徴とする請求項３に記載の内視鏡。
【請求項５】
前記開口は、延出する余分な前記導通部を切断具によって切断する導通部カット部を有することを特徴とする請求項３に記載の内視鏡。
【請求項６】
前記開口は、前記外装部材の端部から形成され、前記導通部カット部に連通する溝部を有することを特徴とする請求項５に記載の内視鏡。
【請求項７】
前記開口を塞ぐ被覆部を有することを特徴とする請求項３に記載の内視鏡。
【請求項８】
前記第２の端部を覆う保護部を有することを特徴とする請求項３に記載の内視鏡。
【請求項９】
前記導通部は、前記枠部品と前記外装部材との嵌合時に、前記溝部に挿通されることを特徴とする請求項５に記載の内視鏡。
【請求項１０】
前記開口は、前記外装部材の肉厚内に前記切断具の刃先が収まるように前記溝部に直交する方向の前記導通部カット部の長さが設定されていることを特徴とする請求項５に記載の内視鏡。
【請求項１１】
前記枠部品は、前記導通部を配置する凹部を有することを特徴とする請求項１に記載の内視鏡。
【請求項１２】
導電性の外装部材の開口に、線状の導通部を挿通するステップと、  前記外装部材を嵌合する枠部品を、前記外装部材に嵌合し、前記枠部品の外面と外装部材の内面の間に前記導通部を挟み固定するステップと、  延出した前記導通部を、前記開口部に設けられた導通部カット部と切断具によって切断するステップと、  を含むことを特徴とする接地方法。
【請求項１３】
撮像ユニットを有する導電性の外装部材の開口に、前記撮像ユニットに設けられた導電部と電気的に接続した導通部の端部を挿通するステップと、  前記外装部材を嵌合する枠部品を、前記外装部材に嵌合し、前記枠部品の外面と外装部材の内面の間に前記導通部の端部近傍を挟み固定するステップと、  延出した前記導通部を、前記開口部に設けられた導通部カット部と切断具によって切断するステップと、  を含むことを特徴とする内視鏡の先端部の接地方法。
【発明の詳細な説明】
【技術分野】
【０００１】  本発明は、挿入部の先端部に設けられた非導電性の枠部品に撮像ユニットが搭載された内視鏡、接地方法および内視鏡の先端部の接地方法に関する。
【背景技術】
【０００２】  周知の如く、内視鏡は、生体の体内（体腔内）の観察、処置など、または工業用のプラント設備内の検査、修理などのため広く用いられている。このような、内視鏡は、屈曲する管路に挿入するための挿入部を有している。【０００３】  このような内視鏡には、挿入部の先端部に撮像ユニットが設けられた構成が知られている。内視鏡は、先端部に印加された静電気、高周波電流などが撮像ユニットに流れることで不具合が生じないように装置のグラウンド（ＧＮＤ）に逃がす必要がある。【０００４】  例えば、日本国特開２０１３−１９８５６６号報に記載された内視鏡は、絶縁性の先端硬質部に設けられた撮像ユニットの導電部とＧＮＤに接続された金属部材である先端駒に電気的に接続させる弾性部材を設けた構成が開示されている。【０００５】  しかしながら、従来の内視鏡では、弾性部材を撮像ユニットと先端駒との間に介在させるときに弾性部材がずれたりして組み付性が悪いという問題があった。さらに、従来の内視鏡では、弾性部材の設置状態が目視できず、弾性部材がずれていると確実に撮像ユニットと先端駒が電気的に接続されていない状態となっている虞があった。【０００６】  そこで、本発明は、上記事情に鑑みなされたものあり、先端部に設けられた撮像ユニットをグラウンドに導通する導電部に容易、かつ確実に電気的に接続することができる内視鏡、接地方法および内視鏡の先端部の接地方法を提供することを目的とする。
【発明の開示】
【課題を解決するための手段】
【０００７】  本発明の一態様における内視鏡は、挿入部の先端部に設けられた枠部品と、前記枠部品に嵌合される導電性の外装部材と、前記枠部品に固定され撮像を行う撮像ユニットと、前記撮像ユニットに設けられた導電部と、前記導電部に第１の端部が接続され、前記第１の端部の反対側の第２の端部の近傍部分を前記枠部品の外面と前記外装部材の内面の間に挟まれて固定され、前記導電部と前記外装部材とを電気的に接続する導通部と、を有する。【０００８】  本発明の一態様における接地方法は、導電性の外装部材の開口に、線状の導通部を挿通するステップと、前記外装部材を嵌合する枠部品を、前記外装部材に嵌合し、前記枠部品の外面と外装部材の内面の間に前記導通部を挟み固定するステップと、延出した前記導通部を、前記開口部に設けられた導通部カット部と切断具によって切断するステップと、を含む。【０００９】  本発明の一態様における内視鏡の先端部の接地方法は、撮像ユニットを有する導電性の外装部材の開口に、前記撮像ユニットに設けられた導電部と電気的に接続した導通部の端部を挿通するステップと、前記外装部材を嵌合する枠部品を、前記外装部材に嵌合し、前記枠部品の外面と外装部材の内面の間に前記導通部の端部近傍を挟み固定するステップと、延出した前記導通部を、前記開口部に設けられた導通部カット部と切断具によって切断するステップと、を含む。
【発明の効果】
【００１０】  本発明によれば、先端部に設けられた撮像ユニットをグラウンドに導通する導電部に容易、かつ確実に電気的に接続することができる内視鏡、接地方法および内視鏡の先端部の接地方法を提供することができる。
【図面の簡単な説明】
【００１１】
【図１】同、本発明の一態様の内視鏡の外観を示す図
【図２】同、挿入部の先端部分の構成を示す斜視図
【図３】同、挿入部の先端部分の構成を示す断面図
【図４】同、先端硬質部と最先端の湾曲駒が嵌合された状態を示す斜視図
【図５】同、先端硬質部と最先端の湾曲駒が嵌合された状態を示す側面図
【図６】同、先端硬質部と最先端の湾曲駒の嵌合状態を示す分解斜視図
【図７】同、先端硬質部と最先端の湾曲駒が嵌合され、ジャンパー線が開口から延出した状態を示す斜視図
【図８】同、開口から延出したジャンパー線を切断する前の状態を示す部分断面図
【図９】同、開口から延出したジャンパー線を切断した状態を示す部分断面図
【図１０】同、先端硬質部と最先端の湾曲駒の嵌合状態を示し、開口の構成を説明する部分断面図
【図１１】同、第１の変形例に係り、ジャンパー線が配置される凹部を有する先端硬質部と最先端の湾曲駒の嵌合状態を示す部分断面図
【図１２】同、第２の変形例に係り、挿入部の先端部分の構成を示す断面図
【図１３】同、第３の変形例に係り、開口の形状を説明するための先端硬質部と最先端の湾曲駒が嵌合された状態を示す側面図
【図１４】同、第４の変形例に係り、開口の形状を説明するための先端硬質部と最先端の湾曲駒が嵌合された状態を示す側面図
【図１５】同、第５の変形例に係り、開口の形状を説明するための先端硬質部と最先端の湾曲駒が嵌合された状態を示す側面図
【図１６】同、第５の変形例に係り、開口の形状を説明するための最先端の湾曲駒を示す側面図
【図１７】同、第６の変形例に係り、開口の形状を説明するための先端硬質部と最先端の湾曲駒が嵌合された状態を示す側面図
【図１８】同、第７の変形例に係り、開口の形状を説明するための先端硬質部と最先端の湾曲駒が嵌合された状態を示す側面図
【図１９】同、第８の変形例に係り、開口を覆う被覆部が設けられ、湾曲ゴムが被覆された先端硬質部と最先端の湾曲駒を示す部分断面図
【図２０】同、第９の変形例に係り、開口に充填剤が充填され、湾曲ゴムが被覆された先端硬質部と最先端の湾曲駒を示す部分断面図
【図２１】同、第１０の変形例に係り、ジャンパー線の端部に保護部が設けられ、湾曲ゴムが被覆された先端硬質部と最先端の湾曲駒を示す部分断面図
【図２２】同、第１１の変形例に係り、ジャンパー線が折り曲げられた状態を説明するための先端硬質部と最先端の湾曲駒を示す部分断面図
【図２３】同、第１２の変形例に係り、ジャンパー線が折り返された状態を説明するための先端硬質部と最先端の湾曲駒を示す部分断面図
【発明を実施するための最良の形態】
【００１２】  ここでは、本発明である内視鏡を例に挙げて説明する。なお、以下の説明において、各実施の形態に基づく図面は、模式的なものであり、各部分の厚みと幅との関係、夫々の部分の厚みの比率などは現実のものとは異なることに留意すべきであり、図面の相互間においても互いの寸法の関係や比率が異なる部分が含まれている場合がある。    また、以下の構成説明における内視鏡は、気管支鏡、泌尿器鏡などの挿入部が細径の内視鏡を例示しているが、これに限定されることなく、生体の上部または下部の消化器官に挿入するため挿入部が可撓性のある所謂軟性鏡、外科用に用いられる挿入部が硬質な所謂硬性鏡にも適用できるものである。【００１３】  以下、本発明の一態様の内視鏡について、図面に基づいて説明する。    図１に示すように、本実施形態の電子内視鏡である内視鏡１は、細長管状に形成される挿入部２と、この挿入部２の基端に連設される操作部３と、この操作部３から延設される内視鏡ケーブルであるユニバーサルコード４と、このユニバーサルコード４の先端に配設される内視鏡コネクタ５などによって主に構成されている。【００１４】  挿入部２は、先端側から順に、先端部６、湾曲部７および可撓管部８が連設されて形成され可撓性を備えた管状部材である。このうち、先端部６には、内部に撮像手段を備えた後述の撮像装置である撮像ユニット、照明手段などが収納配置されている。    湾曲部７は、操作部３の操作部材のうち湾曲レバー１３の回動操作によって、挿入部２の上下２方向（ＵＰ−ＤＯＷＮ）へと能動的に湾曲させ得るように構成される機構部位である。【００１５】  なお、湾曲部７は、上下２方向へ能動的に湾曲するタイプのものに限定されることはなく、上下方向に加えて左右方向をも含めた４方向（上下左右の操作によって軸回りの全周方向、ＵＰ−ＤＯＷＮ／ＬＥＦＴ−ＲＩＧＨＴ）に湾曲し得るタイプのものであっても良いし、上（ＵＰ）方向の１方向にのみ湾曲し得るタイプのものでもよく、さらに湾曲レバー１３による能動的に湾曲する機構を有しておらず、単に受動的に湾曲するタイプのものであってもよい。【００１６】  可撓管部８は、受動的に可撓可能となるように柔軟性を持たせて形成される管状部材である。この可撓管部８の内部には、後述する処置具挿通チャンネルのほか、先端部６に内蔵される撮像装置から延出し、さらに操作部３からユニバーサルコード４の内部へと延設される後述の信号ケーブル束、光源装置からの照明光を導光し先端部６から出射させるための後述するライトガイドバンドルなどが挿通している（ここでは、何れも不図示）。【００１７】  操作部３は、先端側に設けられ可撓管部８の基端を覆って可撓管部８と接続される折れ止め部９と、この折れ止め部９に連設され使用者が内視鏡１を使用する時に手によって把持する把持部１０と、この把持部１０の外表面に設けられる各種内視鏡機能を操作する操作手段と、処置具挿通部１１と、吸引バルブ１５などによって構成される。【００１８】  操作部３に設けられる操作手段としては、例えば湾曲部７の湾曲操作を行う湾曲レバー１３、送気送水操作または吸引操作、撮像手段、照明手段などの各対応する操作を行うための複数の操作部材１４などがある。【���０１９】  処置具挿通部１１は、各種の処置具（不図示）を挿入する処置具挿通口を備え、操作部３の内部で、分岐部材を介して処置具挿通チャンネル（不図示）に連通する構成部である。【００２０】  この処置具挿通部１１には、処置具挿通口を開閉するための蓋部材であって、この処置具挿通部１１に対して着脱自在（交換可能）に構成される鉗子栓１２が配設されている。なお、処置具挿通チャンネルは、操作部３の内部において、分岐部材によって吸引バルブ１５とも連通した構成となっている。【００２１】  ユニバーサルコード４は、挿入部２の先端部６から、この挿入部２内部を挿通して操作部３に至り、信号ケーブル束、光源装置（不図示）からの照明光を伝送するライトガイドバンドルなどが挿通された複合ケーブルである。【００２２】  内視鏡コネクタ５は、外部機器のビデオプロセッサ（不図示）との間を接続する信号ケーブルが接続される電気コネクタ部１６を側面部に有すると共に、外部機器である光源装置との間を接続する後述のライトガイドバンドルおよび電気ケーブル（不図示）が接続される光源コネクタ部１７と、外部機器の送気送水装置（不図示）からの送気送水用チューブ（不図示）を接続する送気送水プラグ１８などを有して構成されている。【００２３】  ここで、本実施の形態の内視鏡１の挿入部２の先端部分の構成について、図２および図３に基づき、以下に説明する。なお、以下の説明において、挿入部２の周知の構成に関しては、説明を省略する。【００２４】  挿入部２の先端部６は、図２に示すように、観察窓２１、照明窓２２およびチャンネル開口部２３が設けられた絶縁性を有する非導電性の略円柱状ブロック体の枠部品である先端硬質部２０を備えている。この先端硬質部２０は、中途から基端側に向けて湾曲ゴム２５が被覆しており、この湾曲ゴム２５の先端が糸巻接着部２４によって固着されている。【００２５】  先端部６には、図３に示すように、先端硬質部２０に形成された嵌合孔２８に撮像ユニット３０が挿嵌して設けられている。この撮像ユニット３０は、接着剤などの充填剤３６によって先端硬質部２０に固定されている。【００２６】  撮像ユニット３０は、観察窓２１を含む対物レンズ群３３を保持する導電性の金属などから形成された導電部である２つのレンズ枠３１，３２を有している。また、撮像ユニット３０は、ＣＣＤ、ＣＭＯＳなどの固体撮像素子、駆動回路基板などが設けられた図示しない素子枠を基端側のレンズ枠３２の基端外周部分と共に覆う熱収縮チューブ３４を有している。【００２７】  この熱収縮チューブ３４からは、撮像ケーブル３５が基端側に延設している。なお、熱収縮チューブ３４内には、水密保持のため接着剤などが充填されている。【００２８】  撮像ユニット３０のレンズ枠３１，３２は、導通部としてのジャンパー線５０の一端の先端が半田などにより電気的に接続されている。このジャンパー線５０の他端の基端は、先端硬質部２０の基端側の外周部２６に外嵌合する導電性を有する環状の外装部材である最先端の湾曲駒４１と電気的に接続される。  これにより、レンズ枠３１，３２に印加された電流（電荷）がジャンパー線５０および湾曲駒４１へと流れるように導通した構成となっている。【００２９】  ジャンパー線５０は、基端部分が先端硬質部２０の外面である外周部２６と最先端の湾曲駒４１の内面４２に挟まれた状態で保持されている。これにより、ジャンパー線５０は、湾曲駒４１と電気的に導通し、撮像ユニット３０のレンズ枠３１，３２がジャンパー線５０を介して電気的に接続される。【００３０】  なお、湾曲駒４１は、複数に連設され、枢支部４３によって互いが回動自在となるように軸支されている。これら複数の湾曲駒４１は、湾曲レバー１３の操作により湾曲操作ワイヤー４４，４５が牽引弛緩される。【００３１】  これにより、複数の湾曲駒４１が枢支部４３回りに回動され、湾曲部７が湾曲操作される。なお、湾曲操作ワイヤー４４，４５は、複数の湾曲駒４１の内面側に設けられたワイヤガイド４６に固定または挿通保持されている。【００３２】  これら複数の湾曲駒４１は、それぞれが電気的に導通しており、最基端の湾曲駒４１が可撓管部８の図示しない金属ブレードと電気的に導通するように接続されている。なお、可撓管部８の金属ブレードは、操作部３およびユニバーサルコード４を介して内視鏡コネクタ５とも電気的に導電通している。【００３３】  そして、内視鏡コネクタ５は、外部機器と接続されて、患者グラウンド（ＧＮＤ）が撮像ユニット３０と電気的に導通する構成となっている。【００３４】  ところで、先端硬質部２０に嵌合する最先端の湾曲駒４１は、図４に示すように、先端開口部４７（図６参照）が設けられた先端側の端部から基端側に向けて一部が切り欠かれた導通部カット孔部である開口５１が形成されている。この開口５１は、先端硬質部２０の外周面の一部を露出する。【００３５】  開口５１は、図５に示すように、湾曲駒４１の端部にある先端開口部４７から基端側に切り欠かれた直線状の溝部５２と、この溝部５２に連通する三角形の導通部カット部５３と、を有している。【００３６】  ここで、先端硬質部２０に最先端の湾曲駒４１を嵌合して、開口５１から延出するジャンパー線５０をカットする構成について説明する。    先端硬質部２０と最先端の湾曲駒４１を嵌合するとき、図６に示すように、ジャンパー線５０が湾曲駒４１の開口５１の溝部５２から導通部カット部５３に通される。【００３７】  なお、湾曲駒４１の開口５１にジャンパー線５０を通すことができるため、必ずしも湾曲駒４１の先端開口部４１と開口５１とを繋ぐように連通する溝部５２が無くてもよい。【００３８】  そして、図７に示すように、先端硬質部２０と最先端の湾曲駒４１が嵌合される。このとき、ジャンパー線５０は、先端硬質部２０の外面である外周部２６と最先端の湾曲駒４１の内面４２に挟まれて固定され、開口５１の導通部カット部５３から延出した状態となる。【００３９】  この導通部カット部５３から延出した余分なジャンパー線５０は、図８および図９に示すように、デザインナイフなどの切断具１００によって、導通部カット部５３内に収まるように切断される。【００４０】  このとき、切断具１００は、湾曲駒４１の外表面に沿わされ、導通部カット部５３を形成する端面４１ａに向けてジャンパー線５０を切断する。即ち、切断具１００の刃先が端面４１ａに当接するようにしてジャンパー線５０が切断される。��００４１】  ジャンパー線５０は、切断された基端側の端部が開口５１の導通部カット部５３内に収まり、湾曲駒４１の外表面から突起しないように切断される。【００４２】  つまり、円環状の湾曲駒４１は、図１０に示すように、肉厚ｄ内に切断具１００の刃先が収まるように先端硬質部２０および湾曲駒４１の軸（中心軸）に直交する方向の開口５１の導通部カット部５３の長さＬが設定されている。【００４３】  これにより、切断具１００が湾曲駒４１の外表面に沿ってジャンパー線５０を切断する切断ラインＡが湾曲駒４１の肉厚ｄ内に入り、ジャンパー線５０が湾曲駒４１の外表面から突起しないように切断することができる。【００４４】  加えて、切断具１００の刃先が先端硬質部２０に接触することもないため、先端硬質部２０が削られることも防止される。【００４５】  以上のように構成された内視鏡１は、先端硬質部２０と最先端の湾曲駒４１とを嵌合するときに、撮像ユニット３０の導電部であるレンズ枠３１，３２に接続されたジャンパー線５０の基端側の端部の近傍部分を先端硬質部２０と湾曲駒４１の間に挟み込んで導電性の湾曲駒４１と容易、かつ確実に電気的に接続することができる構成となっている。【００４６】  これにより、内視鏡１は、非導電性の先端硬質部２０が設けられた挿入部２の先端部６に静電気、処置具などから発生する高周波電流などが印加されて、撮像ユニット３０のレンズ枠３１，３２に流れてもジャンパー線５０から湾曲駒４１を介してグラウンド（ＧＮＤ）に落とされる。即ち、先端部６に発生した電荷は、レンズ枠３１，３２に流れ、ジャンパー線５０から湾曲駒４１を介してグラウンドへとリークされる。従って、内視鏡１の撮像ユニット３０は、静電気、高周波電流などによる不具合が防止される。【００４７】  さらに、ジャンパー線５０は、湾曲駒４１の外表面から突起しないように切断具１００によって切断されるため、湾曲駒４１を被覆する湾曲ゴム２５を傷つけることもない。【００４８】  以上の説明により、内視鏡１は、撮像ユニット３０を接地するために、導線であるジャンパー線５０の一端の近傍部分を、撮像ユニット３０を外部から絶縁する先端枠部品である先端硬質部２０と、グラウンド（ＧＮＤ）に接続された外装部材である湾曲駒４１によって挟み込んだ簡単な構造を有する。【００４９】  さらに、導線であるジャンパー線５０の先端が、湾曲駒４１の肉厚ｄ内に収まるように設けることでジャンパー線５０の端部によってゴム製の外皮である湾曲ゴム２５を傷つけることもない構造となっている。【００５０】  なお、先端硬質部２０は、非導電性が望ましいが、これに限定されることなく導電性であってもよい。【００５１】（第１の変形例）  図１１に示すように、先端硬質部２０は、外周部にジャンパー線５０を配置する直線状の凹部２７を有していてもよい。これにより、先端硬質部２０と湾曲駒４１を高精度に嵌合することができる。【００５２】（第２の変形例）  図１２に示すように、ジャンパー線５０は、熱収縮チューブ３４内に設けられて、この熱収縮チューブ３４の基端から延出する構成としてもよい。【００５３】（第３の変形例）  図１３に示すように、湾曲駒４１に形成する開口５１の導通部カット部５３は、ジャンパー線５０を切断具１００で切断できれば、溝部５２に対して非対称な形状の孔部としてもよい。【００５４】（第４の変形例）  図１４に示すように、湾曲駒４１に形成する開口５１は、導通部カット部５３を溝部５２に直交するような長孔形状としたＴ字型としてもよい。これにより、開口部５１の面積を小さくして、湾曲駒４１の強度低下を防止することができる。【００５５】（第５の変形例）  図１５に示すように、湾曲駒４１に形成する開口５１の導通部カット部５３は、円環状の湾曲駒４１の曲率に合わせて溝部５２と連通させる２辺を円弧状として、図１６に示すように、ジャンパー線５０を切断し易くなるように切断具１００を添わせる斜面５３ａが直線状となるようにしてもよい。【００５６】（第６の変形例）  図１７に示すように、湾曲駒４１に形成する開口５１の導通部カット部５３は、基端に向けて細くなるようにし、ジャンパー線５０を切断する位置決めをし易くして外れ難くなるように、基端方向への先細り形状としてもよい。【００５７】（第７の変形例）  図１８に示すように、湾曲駒４１に形成する開口５１は、三角形状の導通部カット部５３を逆にした矢印形状としてもよい。ここでも、ジャンパー線５０の切断する位置決めが易くなり、外れ難くなる。【００５８】（第８の変形例）  図１９に示すように、ジャンパー線５０により湾曲ゴム２５を傷つけないようにするため、湾曲駒４１に形成された開口５１を塞ぐように被覆する被覆部６１を設けてもよい。【００５９】（第９の変形例）  図２０に示すように、ジャンパー線５０により湾曲ゴム２５を傷つけないようにするため、湾曲駒４１に形成された開口５１に接着剤などの充填剤６２を充填して、ジャンパー線５０を覆うようにしてもよい。【００６０】（第１０の変形例）  図２１に示すように、ジャンパー線５０により湾曲ゴム２５を傷つけないようにするため、湾曲駒４１に形成された開口５１内で露出するジャンパー線５０の端部を覆う保護部６３を設けてもよい。【００６１】（第１１の変形例）  図２２に示すように、湾曲駒４１に２つの開口５５，５６を形成し、ジャンパー線５０を一方の開口から延出させて、開口５５，５６の間の湾曲駒４１の外周部分５４の外方から、ジャンパー線５０の端部を他方の開口５５に収容するように折り曲げた構成としてもよい。【００６２】（第１２の変形例）  図２３に示すように、湾曲駒４１に２つの開口５５，５６を形成し、ジャンパー線５０を一方の開口から延出させ、開口５５，５６の間の外周部分５４の外方から、ジャンパー線５０の端部を他方の開口５５から湾曲駒４１の外周部分５４と先端硬質部２０との間に挟むように折り返した構成としてもよい。【００６３】  以上の実施の形態および変形例に記載した発明は、それら実施の形態および変形例に限ることなく、その他、実施段階ではその要旨を逸脱しない範囲で種々の変形を実施し得ることが可能である。さらに、上記実施の形態および変形例には、種々の段階の発明が含まれており、開示される複数の構成要件における適宜な組合せにより種々の発明が抽出され得るものである。【００６４】  例えば、実施の形態および変形例に示される全構成要件から幾つかの構成要件が削除されて��、述べられている課題が解決でき、述べられている効果が得られる場合には、この構成要件が削除された構成が発明として抽出され得るものである。
【図１】
2020166070.tif 000002
【図２】
2020166070.tif 000003
【図３】
2020166070.tif 000004
【図４】
2020166070.tif 000005
【図５】
2020166070.tif 000006
【図６】
2020166070.tif 000007
【図７】
2020166070.tif 000008
【図８】
2020166070.tif 000009
【図９】
2020166070.tif 000010
【図１０】
2020166070.tif 000011
【図１１】
2020166070.tif 000012
【図１２】
2020166070.tif 000013
【図１３】
2020166070.tif 000014
【図１４】
2020166070.tif 000015
【図１５】
2020166070.tif 000016
【図１６】
2020166070.tif 000017
【図１７】
2020166070.tif 000018
【図１８】
2020166070.tif 000019
【図１９】
2020166070.tif 000020
【図２０】
2020166070.tif 000021
【図２１】
2020166070.tif 000022
【図２２】
2020166070.tif 000023
【図２３】
2020166070.tif 000024
【手続補正書】
【提出日】令和3年6月28日(2021.6.28)
【手続補正１】
【補正対象書類名】明細書
【補正対象項目名】０００７
【補正方法】変更
【補正の内容】
【０００７】
本発明の一態様における内視鏡は、挿入部の先端部に設けられた枠部品と、前記枠部品に嵌合される導電性の外装部材と、前記枠部品に固定され撮像を行う撮像ユニットと、前記撮像ユニットに設けられた導電部と、前記導電部に第１の端部が接続され、前記第１の端部の反対側の第２の端部の近傍部分を前記枠部品の外面と前記外装部材の内面の間に挟まれて固定され、前記導電部と前記外装部材とを電気的に接続する導通部と、前記外装部材は、組立時に、前記枠部品の一部を露出し、前記導通部を切断可能な開口と、を有する。
【手続補正２】
【補正対象書類名】特許請求の範囲
【補正対象項目名】全文
【補正方法】変更
【補正の内容】
【特許請求の範囲】
【請求項１】
挿入部の先端部に設けられた枠部品と、
前記枠部品に嵌合される導電性の外装部材と、
前記枠部品に固定され撮像を行う撮像ユニットと、
前記撮像ユニットに設けられた導電部と、
前記導電部に第１の端部が接続され、前記第１の端部の反対側の第２の端部の近傍部分を前記枠部品の外面と前記外装部材の内面の間に挟まれて固定され、前記導電部と前記外装部材とを電気的に接続する導通部と、
前記外装部材は、組立時に、前記枠部品の一部を露出し、前記導通部を切断可能な開口と、
を有することを特徴とする内視鏡。
【請求項２】
前記枠部品は、非導電性であることを特徴とする請求項１に記載の内視鏡。
【請求項３】
前記外装部材は、前記開口内に切断された前記導通部の前記第２の端部が収容されることを特徴とする請求項１に記載の内視鏡。
【請求項４】
前記第２の端部が前記外装部材の外表よりも前記枠部品側に収容されていることを特徴とする請求項３に記載の内視鏡。
【請求項５】
前記開口は、延出する余分な前記導通部を切断具によって切断する導通部カット部を有することを特徴とする請求項３に記載の内視鏡。
【請求項６】
前記開口は、前記外装部材の端部から形成され、前記導通部カット部に連通する溝部を有することを特徴とする請求項５に記載の内視鏡。
【請求項７】
前記開口を塞ぐ被覆部を有することを特徴とする請求項３に記載の内視鏡。
【請求項８】
前記第２の端部を覆う保護部を有することを特徴とする請求項３に記載の内視鏡。
【請求項９】
前記導通部は、前記枠部品と前記外装部材との嵌合時に、前記溝部に挿通されることを特徴とする請求項６に記載の内視鏡。
【請求項１０】
前記開口は、前記外装部材の肉厚内に前記切断具の刃先が収まるように前記溝部に直交する方向の前記導通部カット部の長さが設定されていることを特徴とする請求項６に記載の内視鏡。
【請求項１１】
前記枠部品は、前記導通部を配置する凹部を有することを特徴とする請求項１に記載の内視鏡。
【請求項１２】
導電性の外装部材の開口に、線状の導通部を挿通するステップと、
前記外装部材を嵌合する枠部品を、前記外装部材に嵌合し、前記枠部品の外面と前記外装部材の内面の間に前記導通部を挟み固定するステップと、
延出した前記導通部を、前記開口に設けられた導通部カット部と切断具によって切断するステップと、
を含むことを特徴とする接地方法。
【請求項１３】
撮像ユニットを有する導電性の外装部材の開口に、前記撮像ユニットに設けられた導電部と電気的に接続した導通部の端部を挿通するステップと、
前記外装部材を嵌合する枠部品を、前記外装部材に嵌合し、前記枠部品の外面と前記外装部材の内面の間に前記導通部の端部近傍を挟み固定するステップと、
延出した前記導通部を、前記開口に設けられた導通部カット部と切断具によって切断するステップと、
を含むことを特徴とする内視鏡の先端部の接地方法。
【国際調査報告】
2020166070.tif 000025
2020166070.tif 000026